(57)【特許請求の範囲】
【請求項１】
原子力プラントを監視および制御するための中央制御装置であって、
前記原子力プラントの情報を表示する表示部としての機能と前記原子力プラントを操作するための操作部としての機能との双方を有する監視操作用機器と、前記監視操作用機器を制御する制御部とを備え、且つ、
前記制御部は、
前記原子力プラントの異常発生時にて所定の警報信号を取得し、
前記警報信号の数が所定値以下の場合には、前記警報信号に対応する警報を前記監視操作用機器の表示画面内にそれぞれ表示し、前記警報に対して入力操作があった場合に、前記入力操作に対応する運転手順書を選択して前記監視操作用機器に表示し、且つ、
前記警報信号の数が前記所定値を超える場合には、前記警報信号に基づいて前記原子力プラントの状況を診断して、診断結果を前記監視操作用機器の表示画面内に表示し、前記診断結果に対して入力操作があった場合に、前記入力操作に対応する対応する運転手順書を選択して前記監視操作用機器に表示することを特徴とする原子力プラントの中央制御装置。
【請求項２】
前記制御部が、前記運転手順書と、前記運転手順書に規定された前記原子力プラントの情報と、操作対象である操作機とを関連付けて前記監視操作用機器の同一画面内に表示させる請求項１に記載の原子力プラントの中央制御装置。
【請求項３】
前記制御部が、定常運転時における前記原子力プラントの状態量の推移を診断して診断結果を前記監視操作用機器に表示させる請求項１または２に記載の原子力プラントの中央制御装置。
【請求項４】
前記制御部が、前記監視操作用機器に表示された前記運転手順書に規定された対応操作と、前記監視操作用機器への入力操作とを関連付けて記録する請求項１〜３のいずれか一つに記載の原子力プラントの中央制御装置。
【請求項５】
前記制御部が、前記監視操作用機器に表示された前記運転手順書に規定された対応操作と、前記監視操作用機器への入力操作との不一致を検出する請求項１〜４のいずれか一つに記載の原子力プラントの中央制御装置。
【請求項６】
前記制御部が、前記運転手順書を前記監視操作用機器の表示画面内にポップアップ表示させる請求項１〜５のいずれか一つに記載の原子力プラントの中央制御装置。
【請求項７】
前記制御装置が、系統図を用いた異常発生箇所を示すボタンを用いて、前記診断結果を前記監視操作用機器の表示画面内に表示する請求項１〜６のいずれか一つに記載の原子力プラントの中央制御装置。
【発明の詳細な説明】
【技術分野】
【０００１】
この発明は、原子力プラントの中央制御装置に関し、さらに詳しくは、運転員の負担を軽減でき、また、原子力プラントの安全性および信頼性を向上できる原子力プラントの中央制御装置に関する。
【背景技術】
【０００２】
近年の原子力プラントの中央制御装置では、現場のセンサや機器に接続された指示計、操作器、警報器などの情報をディスプレイにグラフィック表示し、また、タッチオペレーションにより操作できる中央制御盤が採用されている。この中央制御盤では、原子力プラントの主要パラメータの監視や機器の操作に対する運転員の身体的負担を軽減させるために、中央制御盤の大きさを日本人の平均的な体格に合わせて設計する工夫が施され、また、運転員の認知的負担を軽減させるために、警報の重要度識別表示や関連ある指示計と操作器とを組み合わせて提示する工夫が施されている。
【０００３】
しかしながら、従来の構成では、指示計、操作器、警報器などの各機能が相互に独立しており、これらの融合が図られていない。このため、運転員が、指示計、操作器、警報器などからの情報を組み合わせて原子力プラントの状態を解釈し、その結果に基づいて対応操作を組み立てて実行する必要がある。すると、原子力プラントを運転するためには、運転員が、原子力プラント自体の知識を修得するだけでなく、指示計、操作器、警報器などからの情報を総合的に把握して解釈する方法について習熟する必要がある。また、習熟の結果として得られる運転のコツというものも存在する。このため、運転員の経験が浅い場合にも、運転品質を向上できるシステムが強く求められている。
【０００４】
このような課題に関する従来の原子力プラントの中央制御装置として、特許文献１に記載される技術が知られている。
【先行技術文献】
【特許文献】
【０００５】
【特許文献１】特開２０００−２４９７８２号公報
【発明の概要】
【発明が解決しようとする課題】
【０００６】
この発明は、運転員の負担を軽減でき、また、原子力プラントの安全性および信頼性を向上できる原子力プラントの中央制御装置を提供することを目的とする。
【課題を解決するための手段】
【０００７】
上記目的を達成するため、この発明にかかる原子力プラントの中央制御装置は、原子力プラントを監視および制御するための中央制御装置であって、前記原子力プラントの情報を表示する表示部としての機能と前記原子力プラントを操作するための操作部としての機能との双方を有する監視操作用機器と、前記監視操作用機器を制御する制御部とを備え、且つ、前記制御部は、前記原子力プラントの異常発生時にて所定の警報信号を取得し、前記警報信号の数が所定値以下の場合には、前記警報信号に対応する警報を前記監視操作用機器の表示画面内にそれぞれ表示し、前記警報に対して入力操作があった場合に、前記入力操作に対応する運転手順書を選択して前記監視操作用機器に表示し、且つ、前記警報信号の数が前記所定値を超える場合には、前記警報信号に基づいて前記原子力プラントの状況を診断して、診断結果を前記監視操作用機器の表示画面内に表示し、前記診断結果に対して入力操作があった場合に、前記入力操作に対応する対応する運転手順書を選択して前記監視操作用機器に表示することを特徴とする。
【発明の効果】
【０００８】
この発明にかかる原子力プラントの中央制御装置では、監視操作用機器への入力操作に対応する運転手順書が監視操作用機器に表示されるので、大量の運転手順書から必要な運転手順書を選択する運転員の負担を軽減できる利点がある。また、指示計、操作器、警報器などからの情報は、そのときの運転に即した内容で組み合わせて監視操作用機器に提示されるので、運転員は、この情報と運転手順書を参照しつつ対応操作を行い得る。これにより、運転員の経験が浅い場合にも運転品質が向上して、原子力プラントの安全性および信頼性が向上する利点がある。
【図面の簡単な説明】
【０００９】
【図１】図１は、この発明の実施の形態にかかる原子力プラントを示す構成図である。
【図２】図２は、図１に記載した中央制御装置を示す外観構成図である。
【図３】図３は、図１に記載した中央制御装置を示す機能ブロック図である。
【図４】図４は、図１に記載した中央制御装置の作用を示す説明図である。
【図５】図５は、図１に記載した中央制御装置の作用を示す説明図である。
【図６】図６は、図１に記載した中央制御装置の作用を示す説明図である。
【図７】図７は、図１に記載した中央制御装置の作用を示す説明図である。
【発明を実施するための形態】
【００１０】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１１】
［原子力プラント］
図１は、この発明の実施の形態にかかる原子力プラントを示す構成図である。同図は、一例として、加圧水型原子炉（ＰＷＲ：Pressurized Water Reactor）を備える原子力発電プラントを示している。なお、この原子力プラントは、沸騰水型原子炉（ＢＷＲ：Boiling Water Reactor）を備える原子力プラントに適用されても良い（図示省略）。
【００１２】
図１の原子力プラント１は、原子炉格納容器１１内に、原子炉１２、蒸気発生器１３、加圧器１４および冷却水ポンプ１５を備える。また、原子炉１２の出口側と蒸気発生器１３の入口側とが第一冷却水配管１６１を介して相互に接続され、この第一冷却水配管１６１上に加圧器１４が配置される。また、蒸気発生器１３の出口側と原子炉１２の入口側とが第二冷却水配管１６２を介して相互に接続され、この第二冷却水配管１６２上に冷却水ポンプ１５が配置される。
【００１３】
また、原子力プラント１は、蒸気タービン２１と、復水器２２と、発電機２３とを備える。また、蒸気タービン２１が、タービンロータを介して発電機２３に連結される。また、蒸気タービン２１の入口部が第三冷却水配管２５１を介して蒸気発生器１３の出口部に接続され、また、蒸気タービン２１の出口部が復水器２２に接続される。また、復水器２２が、第四冷却水配管２５２を介して蒸気発生器１３の入口部に接続される。また、第四冷却水配管２５２上に、復水ポンプ２４が配置される。
【００１４】
この原子力プラント１では、原子炉１２が、燃料として低濃縮ウランまたはＭＯＸ（Mixed OXide）を使用し、また、一次冷却水および中性子減速材として軽水を使用する。また、原子炉１２が、一次冷却水を燃料により加熱して高温高圧水を生成する。このとき、原子炉１２の炉心における一次冷却水の沸騰を抑制するために、加圧器１４が一次冷却水を１５０〜１６０気圧の高圧状態に維持する。これにより、炉心全体にわたって沸騰しない高温高圧の一次冷却水が生成される。そして、この高温高圧の一次冷却水が、第一冷却水配管１６１を介して蒸気発生器１３に供給される。
【００１５】
また、蒸気発生器１３が、原子炉１２からの一次冷却水と二次冷却水とを熱交換させて、二次冷却水の蒸気を発生させる。そして、この蒸気（二次冷却水）が、第三冷却水配管２５１を介して蒸気タービン２１に供給される。また、冷却水ポンプ１５が、熱交換後の一次冷却水を第二冷却水配管１６２を介して原子炉１２に還流させる。そして、一次冷却水が原子炉１２と蒸気発生器１３との間を循環することにより、蒸気発生器１３が二次冷却水の蒸気を連続的に発生する。
【００１６】
また、蒸気タービン２１が、蒸気発生器１３からの二次冷却水の熱エネルギーにより駆動トルクを発生して、ロータを介して発電機２３を駆動する。これにより、発電機２３が稼動して発電する。また、復水器２２が、蒸気タービン２１を通過した二次冷却水と冷媒とを熱交換させて蒸気を凝縮させる。また、復水器２２が、冷媒として海水を汲み上げて取水管から取り込み、また、熱交換後の冷媒を排水管から排出する。また、復水ポンプ２４が、熱交換後の二次冷却水を第四冷却水配管２５２を介して蒸気発生器１３に還流させる。そして、二次冷却水が蒸気発生器１３と蒸気タービン２１と復水器２２との間を循環することにより、発電機２３が連続的に駆動される。
【００１７】
また、原子力プラント１は、制御保護系設備３０と、中央制御装置４０とを備える。
【００１８】
制御保護系設備３０は、汎用コンピュータあるいは専用コンピュータであり、ＣＰＵ（Central Processing Unit）、ＲＯＭ（Read Only Memory）、ＲＡＭ（Random Access Memory）などを有する原子炉制御系計器ラック（図示省略）を備える。この制御保護系設備３０は、原子力プラント１の状態量を取得する各種センサ（図示省略）からの信号に基づいて、原子力プラント１を運転するためのポンプやバルブなどの各種機器の作動を制御する。また、制御保護系設備３０は、原子力プラント１の各種センサからの信号を処理して所定の信号（例えば、原子炉１２の水位、圧力、流量等のプロセスパラメータを示すデジタル信号、各系統の状態や各機器の状態を示す信号、異常発生時における警報信号など）を中央制御装置４０に出力する。また、制御保護系設備３０は、中央制御装置４０からの信号に基づいて原子力プラント１の各種機器を制御する。これにより、原子力プラント１が制御されて、原子炉１２の核反応を停止させる、原子力プラント１を冷却する、原子力プラント１からの放射性物質の漏洩を防ぐ等の機能が実現される。
【００１９】
中央制御装置４０は、原子力プラント１を監視および制御するための中央制御盤から構成され、原子力プラント１の中央制御室に配置される。この中央制御装置４０は、制御保護系設備３０からの信号に基づいて、原子力プラント１の運転状況や安全状況などに関する所定の情報（例えば、原子炉１２の水位、圧力、流量等のプロセスパラメータ、各系統の状態や各機器の状態など）を表示部に表示する。また、運転員による入力操作に基づいて、原子力プラント１の各系統や各機器を制御するための信号を制御保護系設備３０に出力する。
【００２０】
［中央制御装置の具体的構成］
図２は、図１に記載した中央制御装置の一例を示す外観構成図である。同図は、中央制御盤を有する中央制御装置を示している。
【００２１】
中央制御装置４０は、運転コンソール４１と、大型表示盤４２とを備えた中央制御装置である（図２参照）。
【００２２】
運転コンソール４１は、原子力プラント１を監視操作するための装置であり、警報ＶＤＵ（Visual Display Unit）４１１と、常用系ＶＤＵ４１２と、安全系ＶＤＵ４１３と、運転手順書ＶＤＵ４１４と、ハードウェア操作器４１５とを備える。警報ＶＤＵ４１１は、異常発生時にて原子力プラント１に関する各種の警報を表示する表示部としての機能と、原子力プラント１を操作するための操作部としての機能との双方を有する監視操作用機器である。常用系ＶＤＵ４１２は、原子力プラント１の情報を表示する表示部としての機能と、原子力プラント１を操作するための操作部としての機能との双方を有する監視操作用機器である。安全系ＶＤＵ４１３は、原子力プラント１の安全系の情報を表示する表示部としての機能と、原子力プラント１の安全系を操作するための操作部としての機能との双方を有する監視操作用機器である。運転手順書ＶＤＵ４１４は、運転手順書を表示する機能と原子力プラント１の情報を表示する表示部としての機能と原子力プラント１を操作するための操作部としての機能を有する監視操作用機器である。これらの警報ＶＤＵ４１１、常用系ＶＤＵ４１２、安全系ＶＤＵ４１３および運転手順書ＶＤＵ４１４は、例えば、タッチパネル操作器から構成される。ハードウェア操作器４１５は、原子力プラント１を操作するための各種の物理スイッチから構成される。
【００２３】
大型表示盤４２は、固定表示部４２１と、可変表示部４２２とを備える。固定表示部４２１は、主要パラメータや代表的な警報などを常時表示する。この固定表示部４２１は、例えば、原子力プラント１の運転状況や安全状況などの所定の情報を表示するＯＫモニタ、原子力プラント１を運転するためのポンプやバルブなどの各種機器が操作可能か否かを表示するＢＩＳＩ（Bypassed and Inoperable State Indication）モニタなどから構成される。可変表示部４２２は、運転コンソール４１の各ＶＤＵ４１１〜４１３における表示画面を選択的に表示できる。
【００２４】
［運転手順書を用いた運転支援］
図３は、図１に記載した中央制御装置を示す機能ブロック図である。この中央制御装置４０は、運転員の対応操作を総合的かつ的確に支援して、原子力プラント１の安全性および信頼性を一層向上するために、以下の構成を採用している。
【００２５】
中央制御装置４０は、制御部４３および記憶部４４を備える（図３参照）。
【００２６】
制御部４３は、例えば、ＣＰＵ（Central Processing Unit）であり、記憶部４４に記憶されている各種のプログラムおよびデータを読み込んで実行することにより、中央制御装置４０の動作を統括的に制御して各種機能を実現する。具体的には、制御部４３が、制御保護系設備３０および運転コンソール４１からの入力信号に基づいて、運転コンソール４１の表示制御および大型表示盤４２の表示制御を行う。また、制御部４３が、運転コンソール４１からの入力信号に基づいて、原子力プラント１の各種機器を制御するための信号を生成して制御保護系設備３０に出力する。
【００２７】
記憶部４４は、例えば、不揮発性メモリや磁気記憶装置であり、制御部４３での処理に用いられる各種のプログラムおよびデータを格納する。具体的には、記憶部４４が、運転手順書選択表示プログラム４４１、警報表示プログラム４４２、診断プログラム４４３、プラント情報表示プログラム４４４、経年変化診断プログラム４４５、操作履歴記録プログラム４４６および誤操作検知プログラム４４７を格納している。運転手順書選択表示プログラム４４１は、運転コンソール４１の監視操作用機器（警報ＶＤＵ４１１、常用系ＶＤＵ４１２および安全系ＶＤＵ４１３）への入力操作に対応する運転手順書を選択して、その監視操作用機器に表示させるプログラムである。警報表示プログラム４４２は、所定の警報信号に基づいて対応する警報を監視操作用機器および大型表示盤４２に表示させるプログラムである。診断プログラム４４３は、原子力プラント１の状況を診断して診断結果を監視操作用機器に表示させるプログラムである。プラント情報表示プログラム４４４は、運転手順書と、運転手順書に規定された原子力プラント１の情報とを関連付けて監視操作用機器に表示させるプログラムである。経年変化診断プログラム４４５は、定常運転時における原子力プラント１の状態量の変動を診断して、診断結果を監視操作用機器に表示させるプログラムである。操作履歴記録プログラム４４６は、監視操作用機器に表示された運転手順書に規定された対応操作と、監視操作用機器への入力操作とを関連付けて記録するプログラムである。誤操作検知プログラム４４７は、監視操作用機器に表示された運転手順書に規定された対応操作と、監視操作用機器への入力操作との不一致を検出するプログラムである。
【００２８】
図４〜図７は、図１に記載した中央制御装置の作用を示す説明図である。これらの図は、運転手順書を用いた運転支援の様子を示している。
【００２９】
この中央制御装置４０では、上記のように、運転コンソール４１の警報ＶＤＵ４１１、常用系ＶＤＵ４１２および安全系ＶＤＵ４１３が、タッチパネル操作器から成り、表示部としての機能と操作部としての機能の双方を有する（図２および図３参照）。原子力プラント１の運転時には、警報ＶＤＵ４１１が異常発生時における各種の警報を表示し、常用系ＶＤＵ４１２が原子力プラント１の各種の情報を表示し、安全系ＶＤＵ４１３が原子力プラント１の安全系に関する各種の情報を表示する。そして、運転員が、これらの表示を用いて原子力プラント１を監視し、必要に応じて監視操作用機器（警報ＶＤＵ４１１、常用系ＶＤＵ４１２および安全系ＶＤＵ４１３）に対して入力操作を行う。
【００３０】
ここで、運転コンソール４１の監視操作用機器に対して何らかの入力操作があった場合には、制御部４３が、この入力操作に対応する運転手順書を選択して、入力操作があった監視操作用機器にポップアップ表示させる。これにより、膨大な運転手順書から必要な運転手順書を選択する運転員の負担を軽減できる。
【００３１】
なお、運転手順書には、原子力プラント１の運転手順（例えば、起動手順、停止手順など）、異常発生時における対応操作、ＯＫモニタの判定ロジックや後述する診断システムにおける診断ロジックなどに関する記載が含まれる。
【００３２】
（１）例えば、原子力プラント１に異常が発生すると、警報システムが作動する。この警報システムでは、制御保護系設備３０が、原子力プラント１の各種センサ（図示省略）からの信号に基づき異常発生を検知して、警報信号を中央制御装置４０に出力する。すると、中央制御装置４０の制御部４３が、警報信号に対応する警報を警報ＶＤＵ４１１の表示画面に表示させる（図４（ａ）参照）。警報ＶＤＵ４１１に表示される警報は、例えば、大型表示盤４２の固定表示部４２１のＯＫモニタに対応する表示項目を有し、また、監視操作用機器に表示する画面上のＯＫモニタ診断結果である「ＯＫ」ボタンおよび「ＮＧ」ボタンにより、診断結果の詳細情報が表示される。運転員は、警報表示画面内のボタンをタッチ操作することにより、警報への対応操作を開始できる。そして、制御部４３が、この入力操作に応じて、警報への対応操作にかかる運転手順書（対応操作が記載された頁）を選択して警報ＶＤＵ４１１の表示画面および運転手順書ＶＤＵ４１４に表示させる（図４（ｂ）参照）。これにより、運転員が、運転手順書を参照しつつ警報への対応操作を行い得る。
【００３３】
（２）また、例えば、制御保護系設備３０が多数の警報信号を出力するような異常事態には、中央制御装置４０の診断システムが作動する。この診断システムでは、制御部４３が、制御保護系設備３０からの警報信号および原子力プラントの情報に基づいて原子力プラント１の状況を診断して、診断結果を常用系ＶＤＵ４１２に表示させる（図５（ａ）参照）。例えば、原子炉１２の水位センサ（図示省略）からの出力信号が低下すると、制御部４３が制御保護系設備３０からの信号に基づいて異常発生箇所を診断して、診断結果を常用系ＶＤＵ４１２に表示させる。この診断結果は、例えば、系統図を用いた異常発生箇所の表示などから構成される。運転員は、診断結果表示画面内のボタン（例えば、系統図の補機シンボル）をタッチ操作することにより、診断結果への対応操作を開始できる。そして、制御部４３が、この入力操作に応じて、診断結果への対応操作にかかる運転手順書を選択して常用系ＶＤＵ４１２の表示画面および運転手順書ＶＤＵ４１４に表示させる（図５（ｂ）参照）。これにより、運転員が、運転手順書を参照しつつ診断結果への対応操作を行い得る。
【００３４】
なお、上記した（１）が、制御保護系設備３０からの警報信号に対する個別対応であるのに対して、上記した（２）は、多数の警報信号が発生したときの事象対応としての位置付けを有する。
【００３５】
（３）また、制御部４３は、上記（１）、（２）で選択した運転手順書と、この運転手順書に規定された原子力プラント１の情報とを関連付けて監視操作用機器に表示させる（図６参照）。運転手順書に規定された原子力プラント１の情報には、原子力プラント１の運転状況や安全状況などに関する所定の情報（例えば、原子炉１２の水位、圧力、流量等のプロセスパラメータ、各系統の状態や各機器の状態など）が含まれる。例えば、選択された運転手順書の記載が「水位が１５［％］以上であることを確認」である場合には、制御部４３が、現在の水位を制御保護系設備３０からのデジタル信号から選択して運転手順書と共に監視操作用機器に表示させる。これにより、運転員が、運転手順書を参照しつつ必要な情報を確認できる。また、所定の操作機に対して所定の操作を行うべきことが運転手順書に記載されている場合には、制御部４３が、運転手順書と、操作対象である操作機とを表示できる。さらに、制御部４３が、現在の原子力プラント１の状態に対して所定の対応が必要なときに、その対応に必要な情報を監視操作用機器に集約して表示できる。これらにより、運転員の操作を効率的に支援できる。
【００３６】
（４）また、原子力プラント１では、その状態量が徐々に変動する場合がある。例えば、原子炉１２のプロセスパラメータが、経年変化や季節変化により徐々に推移する場合が挙げられる。そこで、この中央制御装置４０では、制御部４３が、定常運転時における原子力プラント１の状態量の変動を診断して、診断結果を常用系ＶＤＵ４１２に表示させる（図示省略）。運転員は、診断結果表示画面のボタンをタッチ操作することにより、診断結果への対応操作を開始できる。そして、制御部４３が、この入力操作に応じて、診断結果への対応操作にかかる運転手順書を選択して常用系ＶＤＵ４１２の表示画面に表示させる。これにより、運転員が、運転手順書を参照しつつ診断結果への対応操作を行い得る。
【００３７】
（５）また、上記の構成では、制御部が、監視操作用機器に表示された運転手順書に規定された対応操作と、監視操作用機器への入力操作とを関連付けて記録することが好ましい（図７参照）。例えば、制御部４３が、常用系ＶＤＵ４１２への入力操作に対応して、「○○ポンプをＯＮにする」、「制御棒位置を炉底にする」および「トリップ遮断機をＯＦＦにする」ことを規定した運転手順書を選択して常用系ＶＤＵ４１２に表示したとする。そして、運転員が、この運転手順書を参照しつつ常用系ＶＤＵ４１２を順次タッチ操作して対応操作を行ったとする。このとき、制御部が、運転手順書に規定された対応操作と、常用系ＶＤＵ４１２への入力操作の内容とを相互に関連付けて記録する。これにより、運転員による対応操作の実行履歴を記録できる。
【００３８】
（６）さらに、制御部４３は、運転手順書に規定された対応操作と常用系ＶＤＵ４１２への入力操作の内容とが不一致の場合（誤操作）や、運転手順書に規定された対応操作が行われていない場合（対応操作の不履行）に、これを記録し、また、常用系ＶＤＵ４１２にアラートを表示しても良い。これにより、運転員による対応操作が運転手順書に沿って行われたか否かを容易に判定できる。
【００３９】
なお、上記した対応操作の実行履歴は、外部端末５０（図１参照）にて管理される。
【００４０】
［効果］
以上説明したように、この原子力プラント１の中央制御装置４０は、原子力プラント１を監視および制御する（図１参照）。また、中央制御装置４０は、原子力プラント１の情報（例えば、運転情報、安全情報など）を表示する表示部としての機能と原子力プラント１を操作するための操作部としての機能との双方を有する監視操作用機器（例えば、運転コンソール４１の警報ＶＤＵ４１１、常用系ＶＤＵ４１２および安全系ＶＤＵ４１３）と、これらの監視操作用機器を制御する制御部４３とを備える（図３参照）。また、制御部４３が、監視操作用機器への入力操作に対応する運転手順書を選択して監視操作用機器に表示させる（図４および図５参照）。
【００４１】
かかる構成では、監視操作用機器への入力操作に対応する運転手順書が監視操作用機器に表示されるので、大量の運転手順書から必要な運転手順書を選択する運転員の負担を軽減できる利点がある。また、指示計、操作器、警報器などからの情報は、そのときの運転に即した内容で組み合わせて監視操作用機器に提示されるので、運転員は、この情報と運転手順書を参照しつつ対応操作を行い得る。これにより、運転員の経験が浅い場合にも運転品質が向上して、原子力プラント１の安全性および信頼性が向上する利点がある。
【００４２】
また、この原子力プラント１の中央制御装置４０では、制御部４３が、原子力プラント１の異常発生時にて警報を監視操作用機器に表示させる（図４参照）。そして、この警報に対して監視操作用機器への入力操作が行われると、制御部４３が、対応する運転手順書を選択して監視操作用機器に表示させる。これより、大量の運転手順書から必要な運転手順書を選択する運転員の負担を軽減でき、また、運転品質が向上して原子力プラント１の安全性および信頼性が向上する利点がある。
【００４３】
また、この原子力プラント１の中央制御装置４０では、制御部４３が、原子力プラント１の状況を診断して診断結果を監視操作用機器に表示させる（図５参照）。そして、この診断結果に対して監視操作用機器への入力操作が行われると、制御部４３が、対応する運転手順書を選択して監視操作用機器に表示させる。これより、大量の運転手順書から必要な運転手順書を選択する運転員の負担を軽減でき、また、運転品質が向上して原子力プラント１の安全性および信頼性が向上する利点がある。
【００４４】
また、この原子力プラント１の中央制御装置４０では、制御部４３が、運転手順書と、運転手順書に規定された原子力プラント１の情報とを関連付けて監視操作用機器に表示させる（図６参照）。かかる構成では、運転員が運転手順書を参照しつつ必要な情報を確認できるので、運転品質が向上して原子力プラント１の安全性および信頼性が向上する利点がある。また、所定の操作機に対して所定の操作を行うべきことが運転手順書に記載されている場合には、制御部４３が、運転手順書と、操作対象である操作機とを表示することにより、運転員の操作を効率的に支援できる利点がある。さらに、制御部４３が、現在の原子力プラント１の状態に対して所定の対応が必要なときに、その対応に必要な情報を監視操作用機器に集約して表示することにより、運転員の操作を効率的に支援できる利点がある。
【００４５】
また、この原子力プラント１の中央制御装置４０では、制御部４３が、原子力プラント１の状態量の推移を診断して診断結果を監視操作用機器に表示させる（図示省略）。そして、この診断結果に対して監視操作用機器への入力操作が行われると、制御部４３が、対応する運転手順書を選択して監視操作用機器に表示させる。これより、大量の運転手順書から必要な運転手順書を選択する運転員の負担を軽減でき、また、運転品質が向上して原子力プラント１の安全性および信頼性が向上する利点がある。
【００４６】
また、この原子力プラント１の中央制御装置４０では、制御部４３が、監視操作用機器に表示された運転手順書に規定された対応操作と、監視操作用機器への入力操作とを関連付けて記録する（図７参照）。かかる構成では、運転員による対応操作の実行履歴を記録できるので、対応操作が運転手順書に沿って適正に行われたか否かを判定できる利点がある。
【００４７】
また、この原子力プラント１の中央制御装置４０では、制御部４３が、監視操作用機器に表示された運転手順書に規定された対応操作と、監視操作用機器への入力操作との不一致を検出する（図７参照）。これにより、対応操作にかかる誤操作や不履行を判定できる利点がある。
【符号の説明】
【００４８】
１  原子力プラント、１１  原子炉格納容器、１２  原子炉、１３  蒸気発生器、１４  加圧器、１５  冷却水ポンプ、１６１  第一冷却水配管、１６２  第二冷却水配管、２１  蒸気タービン、２２  復水器、２３  発電機、２４  復水ポンプ、２５１  第三冷却水配管、２５２  第四冷却水配管、３０  制御保護系設備、４０  中央制御装置、４１  運転コンソール、４１１  警報ＶＤＵ、４１２  常用系ＶＤＵ、４１３  安全系ＶＤＵ、４１４  運転手順書ＶＤＵ、４１５  ハードウェア操作器、４２  大型表示盤、４２１  固定表示部、４２２  可変表示部、４３  制御部、４４  記憶部、４４１  運転手順書選択表示プログラム、４４２  警報表示プログラム、４４３  診断プログラム、４４４  プラント情報表示プログラム、４４５  経年変化診断プログラム、４４６  操作履歴記録プログラム、４４７  誤操作検知プログラム、５０  外部端末
【図１】
0006037635.tif 000002
【図２】
0006037635.tif 000003
【図３】
0006037635.tif 000004
【図４】
0006037635.tif 000005
【図５】
0006037635.tif 000006
【図６】
0006037635.tif 000007
【図７】
0006037635.tif 000008